(57)【特許請求の範囲】
【請求項１】
情報処理装置であって、
ユーザーから入力された操作に基づき、第１の画像形成装置を、画像形成指示を送信する対象である送信先画像形成装置として判断し、
前記判断してから特定時間内に前記ユーザーから新たに入力された操作に基づき、前記送信先画像形成装置が、前記第１の画像形成装置と異なる第２の画像形成装置に変更されたことを判断する
操作判断処理部と、
前記送信先画像形成装置が変更されたと判断されなかった場合、前記第１の画像形成装置に対する画像形成指示を生成し、
前記送信先画像形成装置が変更されたと判断された場合、変更後の前記第２の画像形成装置に対する画像形成指示を生成する
画像形成指示部と、
前記情報処理装置を示す第１のアイコンと、前記第１の画像形成装置を示す第２のアイコンと、前記第２の画像形成装置を示す第３のアイコンと、前記判断に基づいて前記第１のアイコンから前記送信先画像形成装置を示すアイコンに向かう第４のアイコンとを提示する提示部と
を具備し、
前記操作判断処理部は、前記操作に基づき、前記第４のアイコンの向かう先が前記第１のアイコンから前記第２のアイコンに変更されると、前記第１の画像形成装置に代えて前記第２の画像形成装置を前記送信先画像形成装置として判断する
情報処理装置。
【請求項２】
請求項１に記載の情報処理装置であって、
前記提示部は、前記操作判断処理部が前記第１の画像形成装置を前記送信先画像形成装置として判断すると、前記特定時間が経過する前に、前記判断された第１の画像形成装置を、前記送信先画像形成装置として提示する
情報処理装置。
【請求項３】
請求項２に記載の情報処理装置であって、
前記提示部は、前記送信先画像形成装置が変更されたと判断された場合、変更後の前記第２の画像形成装置を、前記送信先画像形成装置として提示する
情報処理装置。
【請求項４】
請求項１乃至３のいずれか一項に記載の情報処理装置であって、
前記特定時間が経過すると前記画像形成指示を前記送信先画像形成装置に送信する送信処理を実行する通信制御部をさらに具備し、 
前記第４のアイコンは、前記送信処理を直感的に示すためのアニメーション画像である
情報処理装置。
【請求項５】
情報処理装置を、
ユーザーから入力された操作に基づき、第１の画像形成装置を、画像形成指示を送信する対象である送信先画像形成装置として判断し、
前記判断してから特定時間内に前記ユーザーから新たに入力された操作に基づき、前記送信先画像形成装置が、前記第１の画像形成装置と異なる第２の画像形成装置に変更されたことを判断する
操作判断処理部と、
前記送信先画像形成装置が変更されたと判断されなかった場合、前記第１の画像形成装置に対する画像形成指示を生成し、
前記送信先画像形成装置が変更されたと判断された場合、変更後の前記第２の画像形成装置に対する画像形成指示を生成する
画像形成指示部と、
前記情報処理装置を示す第１のアイコンと、前記第１の画像形成装置を示す第２のアイコンと、前記第２の画像形成装置を示す第３のアイコンと、前記判断に基づいて前記第１のアイコンから前記送信先画像形成装置を示すアイコンに向かう第４のアイコンとを提示する提示部として機能させるプログラムであって、
前記操作判断処理部は、前記操作に基づき、前記第４のアイコンの向かう先が前記第１のアイコンから前記第２のアイコンに変更されると、前記第１の画像形成装置に代えて前記第２の画像形成装置を前記送信先画像形成装置として判断する
プログラム。
【発明の詳細な説明】
【技術分野】
【０００１】
本技術は、画像形成装置に画像形成指示を出力する情報処理装置及びプログラムに関する。
【背景技術】
【０００２】
複数の画像形成装置（例えば、Multifunction Peripheral。以下単に「ＭＦＰ」と称する。）が存在する環境において、任意の１つのＭＦＰに画像形成指示を出力することが可能な情報処理装置（典型的には、スマートフォンやタブレット型パーソナルコンピューター等の携帯情報端末）が知られている。
【０００３】
特許文献１によれば、携帯情報端末は、タッチパネルの画面上に、複数の画像形成装置の位置にそれぞれ対応付けられた方向を表示する。携帯情報端末は、タッチパネルの画面上での前記方向に沿ったフリック操作を検出したら、前記方向に対応する画像形成装置に対して、画像形成指示を送信する（例えば、請求項１参照）。
【０００４】
特許文献２によれば、携帯情報端末の画面に、自端末を中心として、周辺に存在する複数の端末を表す画像が、実際の位置関係を模した位置関係で表示される。ユーザーは携帯情報端末のタッチパネルを指で弾く（フリック操作）ことで、通信相手の端末を選択する。タッチパネル上で指を弾くような操作がなされた場合、携帯情報端末は、その操作により示される方向を認識すると同時に、その操作の強さ（弾く速さ）を求め、当該強さに応じた距離だけ自端末から離れている周辺端末を、データ送信先の相手先端末として特定する（例えば、００４９段落参照）。
【０００５】
ＭＦＰと通信可能な携帯情報端末は、特許文献３及び特許文献４にも記載される。
【先行技術文献】
【特許文献】
【０００６】
【特許文献１】特開２０１３−１６４７６１号公報
【特許文献２】特開２０１１−０９６１０２号公報
【特許文献３】特開２０１３−１５７８４８号公報
【特許文献４】特開２０１４−０３５７２３号公報
【発明の概要】
【発明が解決しようとする課題】
【０００７】
特許文献１においては、携帯情報端末から一直線上に複数のＭＦＰが並んでいる場合、携帯情報端末と複数のＭＦＰとの現実の位置関係と、ディスプレイに表示された複数のＭＦＰの位置関係とが異なるおそれがある。このため、ユーザーが現実のＭＦＰを目視しながら現実のＭＦＰの方向にフリック操作を行うと、携帯情報端末が、ユーザーが意図したＭＦＰとは異なるＭＦＰに画像形成指示を出力するおそれがある。すなわち、ユーザーにとっては、直感的な操作が阻害される。また、特許文献１においては、携帯情報端末は、フリック操作の回数に応じて、印刷ジョブの送信回数（印刷部数）等をＭＦＰに指示する（例えば、００１６段落参照）。部数が多数の場合等、タッチパネル上での操作ミスが誘発されたり、ユーザーの手指が疲労したりするおそれがある。
【０００８】
特許文献２においては、携帯情報端末を持つユーザーの背後に存在する端末とこの携帯情報端末とが通信する可能性は、実際には低いにも拘らず、ユーザーの背後に存在する複数の端末を表す画像までもが表示される。その結果、画面が必要以上に煩雑になり、結果的に、タッチパネル上での操作ミスが誘発されるおそれがある。
【０００９】
以上のような事情に鑑み、本技術の目的は、より簡便かつ直感的な操作で画像形成装置に画像形成指示を出力する情報処理装置を提供することにある。
【課題を解決するための手段】
【００１０】
上記目的を達成するため、本発明の一形態に係る情報処理装置は、
ユーザーから入力された操作に基づき、第１の画像形成装置を、画像形成指示を送信する対象である送信先画像形成装置として判断し、
前記判断してから特定時間内に前記ユーザーから新たに入力された操作に基づき、前記送信先画像形成装置が、前記第１の画像形成装置と異なる第２の画像形成装置に変更されたことを判断する
操作判断処理部と、
前記送信先画像形成装置が変更されたと判断されなかった場合、前記第１の画像形成装置に対する画像形成指示を生成し、
前記送信先画像形成装置が変更されたと判断された場合、変更後の前記第２の画像形成装置に対する画像形成指示を生成する
画像形成指示部と
を具備する。
【００１１】
本形態によれば、送信先画像形成装置を判断した後、特定時間、送信先画像形成装置の変更を受け付ける機会を設けている。そして、送信先画像形成装置の変更の有無を判断した段階で、初めて送信先画像形成装置を確定し、画像形成指示を生成する。これにより、最初に判断された送信先画像形成装置が、意図した画像形成装置ではなかった場合、送信先画像形成装置を変更することができる。
【００１２】
情報処理装置は、
前記操作判断部が前記第１の画像形成装置を前記送信先画像形成装置として判断すると、前記特定時間が経過する前に、前記判断された第１の画像形成装置を、前記送信先画像形成装置として提示する提示部
をさらに具備する。
【００１３】
本実施形態によれば、送信先画像形成装置を判断した後、特定時間、送信先画像形成装置の変更を受け付ける機会を設ける前に、送信先画像形成装置をユーザーにフィードバックすることができる。
【００１４】
前記提示部は、前記送信先画像形成装置が変更されたと判断された場合、変更後の前記第２の画像形成装置を、前記送信先画像形成装置として提示する。
【００１５】
本実施形態によれば、変更後の送信先画像形成装置をユーザーにフィードバックすることができる。
【００１６】
上記目的を達成するため、本発明の一形態に係るプログラムは、情報情報処理装置を、
ユーザーから入力された操作に基づき、第１の画像形成装置を、画像形成指示を送信する対象である送信先画像形成装置として判断し、
前記判断してから特定時間内に前記ユーザーから新たに入力された操作に基づき、前記送信先画像形成装置が、前記第１の画像形成装置と異なる第２の画像形成装置に変更されたことを判断する
操作判断処理部と、
前記送信先画像形成装置が変更されたと判断されなかった場合、前記第１の画像形成装置に対する画像形成指示を生成し、
前記送信先画像形成装置が変更されたと判断された場合、変更後の前記第２の画像形成装置に対する画像形成指示を生成する
画像形成指示部
として機能させる。
【発明の効果】
【００１７】
本技術によれば、より簡便かつ直感的な操作で画像形成装置に画像形成指示を出力する情報処理装置及び情報処理プログラムが提供される。
なお、ここに記載された効果は必ずしも限定されるものではなく、本開示中に記載されたいずれかの効果であってもよい。
【図面の簡単な説明】
【００１８】
【図１】本技術の一実施形態に係る情報処理システムを示す図である。
【図２】携帯情報端末のハードウェア構成を示すブロック図である。
【図３】携帯情報端末の機能的構成を示すブロック図である。
【図４】携帯情報端末の動作を示すフローチャートである。
【図５】表示部に表示される画面の一例を示す図である。
【図６】表示部に表示される画面の一例を示す図である。
【図７】表示部に表示される画面の一例を示す図である。
【発明を実施するための形態】
【００１９】
以下、図面を参照しながら、本発明の実施形態を説明する。
【００２０】
（１．情報処理システムの概要）
図１は、本技術の一実施形態に係る情報処理システムを示す図である。
情報処理システム１は、情報処理装置１０と、１以上の画像形成装置２０とを有する。情報処理装置１０は、タッチパネルを有し、典型的にはスマートフォンやタブレット型パーソナルコンピューター等の携帯情報端末であり、以下「携帯情報端末１０」と称する。画像形成装置２０は、典型的にはＭＦＰ（Multifunction Peripheral）であり、以下「ＭＦＰ２０」と称する。
【００２１】
（２．携帯情報端末のハードウェア構成）
図２は、携帯情報端末のハードウェア構成を示すブロック図である。
携帯情報端末１０は、制御部１１と、制御部１１とバス１７を介して接続された表示部１２、通信制御部１３、位置検出部１４、操作部１５、記憶部１６及び時間計測部１８とを有する。
【００２２】
制御部１１は、ＣＰＵ（Central Processing Unit）等を含む。制御部１１は、ＲＡＭ（Random Access Memory）にロードされた情報処理プログラム等のプログラムを実行する。
【００２３】
記憶部１６は、ＲＯＭ（Read Only Memory）、ＲＡＭ等の半導体メモリーとを含む。ＲＯＭは、制御部１１が実行するプログラムやデータなどを固定的に記憶する。ＲＡＭには、ＲＯＭに記憶されたプログラムがロードされる。
【００２４】
表示部１２は、ＬＣＤ（Liquid Crystal Display）又は有機ＥＬ（Electroluminescence）ディスプレイ等を含む。表示部１２は、制御部１１から受け取った情報に基づいて演算処理を行い、生成した画像信号を画面に表示する。
【００２５】
操作部１５は、表示部１２に重畳配置されたタッチセンサーである。操作部１５は、ユーザーからの操作（フリック操作等）を検出して制御部１１に出力する。
【００２６】
通信制御部１３は、ＮＩＣ（Network Interface Card）やモデムなどの通信インターフェースであり、イーサネット（登録商標）などの規格に基づいて、１以上のＭＦＰ２０との通信を行う。
【００２７】
位置検出部１４は、ＧＰＳ（Global Positioning System）センサー１４ａ又はジャイロセンサー１４ｂ等を含む。位置検出部１４は、携帯情報端末１０の位置や傾きを特定するための情報を取得する。
【００２８】
時間計測部１８は、基準時刻からの経過時間等を計測する。
【００２９】
（３．携帯情報端末の機能的構成）
図３は、携帯情報端末の機能的構成を示すブロック図である。
携帯情報端末１０の制御部１１は、情報処理プログラムを実行することにより、操作判断処理部１０１と、表示制御部１０２と、画像形成制御部１０３と、画像形成指示部１０４として動作する。
【００３０】
画像形成制御部１０３は、ユーザーから操作部１５に入力された操作に基づき、画像形成ジョブを判断する。
【００３１】
操作判断処理部１０１は、ユーザーから操作部１５に入力された操作を検出し、操作の位置に基づき、画像形成指示を送信する対象である送信先ＭＦＰを判断する。操作判断処理部１０１は、時間計測部１８を参照して、送信先ＭＦＰを判断してから特定時間内に操作部１５に操作が新たに入力されたか否かを検出し、検出結果をもとに、送信先ＭＦＰの変更の有無を判断する。
【００３２】
表示制御部１０２は、送信先ＭＦＰを示す画像と、変更後の送信先ＭＦＰを示す画像とを、表示部１２に表示する。
【００３３】
画像形成指示部１０４は、画像形成制御部１０３から取得した画像形成ジョブを、送信先ＭＦＰが実行するための画像形成指示を生成する。画像形成指示部１０４は、生成した画像形成指示を、通信制御部１３を介して送信先ＭＦＰに送信する。
【００３４】
（４．携帯情報端末の動作）
図４は、携帯情報端末の動作を示すフローチャートである。
前提として、携帯情報端末１０は、位置検出部１４のＧＰＳセンサー１４ａを用いて携帯情報端末１０（自端末）の位置を判断するとともに、ジャイロセンサー１４ｂを用いて携帯情報端末１０（自端末）の方位を判断する。そして、携帯情報端末１０は、携帯情報端末１０（自端末）の位置及び方位を基準として特定範囲内に存在する１以上のＭＦＰ２０を検出する。具体的には、携帯情報端末１０は、例えば各ＭＦＰ２０から取得したＧＰＳ情報や、１以上のＷｉＦｉアクセスポイント（図示せず）が測定した各ＭＦＰ２０からの電波の強度をもとに、各ＭＦＰ２０の位置を判断する。図５に示すように、携帯情報端末１０は、携帯情報端末１０（自端末）を示すアイコン１２０と、上記検出した１以上のＭＦＰ２０（本図の例では３台）を示すアイコン１２１、１２２、１２３とを、実際の位置関係（距離及び方向）を模した位置関係で、表示部１２に表示する。そして、携帯情報端末１０は、各アイコン１２１〜１２３が示すＭＦＰ２０の識別情報と、各アイコン１２１〜１２３のタッチパネル上の座標情報とを、互いに対応付けて記憶する。なお、以下の説明において、各アイコン１２１、１２２、１２３が示すＭＦＰ２０を互いに区別するとき、それぞれ、ＭＦＰ２０Ａ、２０Ｂ、２０Ｃと呼ぶ。
【００３５】
画像形成制御部１０３は、ユーザーから操作部１５に入力された操作に基づき、画像形成ジョブを判断する。画像形成制御部１０３は、画像形成ジョブが存在することを、操作判断処理部１０１に通知する。さらに、画像形成制御部１０３は、判断した画像形成ジョブを、画像形成指示部１０４に供給する。
【００３６】
操作判断処理部１０１は、通知を受けると、ユーザーから操作部１５に入力された操作を検出する。操作判断処理部１０１は、検出した操作の位置（タッチセンサー上の座標情報）に基づき、ＭＦＰ２０Ａ（第１の画像形成装置）を、画像形成指示を送信する対象である送信先ＭＦＰ（送信先画像形成装置）として判断する（ステップＳ１０１）。操作判断処理部１０１は、送信先ＭＦＰとして判断したＭＦＰ２０Ａを、表示制御部１０２に通知する。
【００３７】
表示制御部１０２（提示部）は、通知されたＭＦＰ２０Ａが送信先ＭＦＰであることを示す画像を、表示部１２に表示する（ステップＳ１０２）。
【００３８】
図６は、「ＭＦＰ２０Ａが送信先ＭＦＰであることを示す画像」の一例を示す図である。
同図に示すように、上記画像は、アイコン１２０（携帯情報端末１０を示す）からアイコン１２１（ＭＦＰ２０Ａを示す）に向けて延びる、アイコン１２４（ジョブを示す）を送信することを直感的に示すような画像、とすればよい。この画像は、典型的には、送信処理を直感的に示すためのアニメーション画像とすればよいが、勿論、静止画像でもよい。
【００３９】
再び図４を参照する。操作判断処理部１０１は、時間計測部１８を参照して、送信先ＭＦＰを判断（ステップＳ１０１）してから特定時間（例えば２秒）内に操作部１５に操作が新たに入力されたか否かを検出し、検出結果をもとに、送信先ＭＦＰの変更の有無を判断する。以下、送信先ＭＦＰを判断してから特定時間を、単に「待機時間」と称することがある。なお、送信先ＭＦＰを変更するための操作の一例としては、図６の例で言えば、アイコン１２０（携帯情報端末１０を示す）からアイコン１２１（ＭＦＰ２０Ａを示す）に向かうアイコン１２４にタッチして、アイコン１２２（ＭＦＰ２０Ｂ）までドラッグしてドロップする（アイコン１２４の延びる方向がアイコン１２２の位置になるまでアイコン１２４をドラッグしてからドロップする）ような操作、が挙げられる。このとき、操作判断処理部１０１は、アイコン１２４がドラッグ及びドロップされたことを検知し、アイコン１２４がドロップされた位置に対応する（アイコン１２４が延びる方向の先にある）ＭＦＰを新たな送信先ＭＦＰとして判断する。
【００４０】
すなわち、操作判断処理部１０１は、待機時間内に操作部１５に新たに入力された操作を検出した場合、操作の位置（タッチセンサー上の座標情報）に基づき、送信先ＭＦＰが、ＭＦＰ２０Ｂ（第２の画像形成装置）に変更されたことを判断する（ステップＳ１０３、ＹＥＳ）。一方、操作判断処理部１０１は、待機時間内に操作部１５に対する操作を検出しない場合、送信先ＭＦＰが、ＭＦＰ２０Ａから変更されなかったことを判断する（ステップＳ１０３、ＮＯ）。
【００４１】
操作判断処理部１０１は、待機時間内に送信先ＭＦＰがＭＦＰ２０Ｂに変更されたことを判断すると（ステップＳ１０３、ＹＥＳ）、変更後の送信先ＭＦＰとして判断したＭＦＰ２０Ｂを、表示制御部１０２に通知する。さらに、操作判断処理部１０１は、変更後の送信先ＭＦＰとして判断したＭＦＰ２０Ｂを、画像形成指示部１０４に通知する。時間計測部１８は、送信先ＭＦＰが変更されたことが判断されると（ステップＳ１０３、ＹＥＳ）、変更された送信先ＭＦＰを判断してからの待機時間を計測する。なお、２回目以降の判断（ステップＳ１０３のループ）において、前回変更判断してからの待機時間は、１回目の判断時の待機時間（例えば２秒）より短縮して設定してもよいし、あるいは、０秒に設定してその後の変更を実質的に受け付けないようにしても良い。
【００４２】
表示制御部１０２は、通知されたＭＦＰ２０Ｂが変更後の送信先ＭＦＰであることを示す画像を、表示部１２に表示する（ステップＳ１０４）。
【００４３】
図７は、「ＭＦＰ２０Ｂが変更後の送信先ＭＦＰであることを示す画像」の一例を示す図である。
同図に示すように、上記画像は、アイコン１２０（携帯情報端末１０を示す）からアイコン１２２（ＭＦＰ２０Ｂを示す）に向けて延びる、アイコン１２４（ジョブを示す）を送信することを直感的に示すような画像（アニメーション画像又は静止画像）とすればよい。このとき、図７に示すように、アイコン１２０を中心にして、アイコン１２１からアイコン１２２までの間を放射状に延びる複数の直線（図７ではアイコン１２２に近いほど太い（濃い）破線で示される）を示す表示態様としても良い。また、図６に示す表示態様（アイコン１２１にアイコン１２４を送信）から図７に示す表示態様（アイコン１２２にアイコン１２４を送信）まで、アニメーションで変遷するような表示態様としても良い。  
【００４４】
再び図４を参照する。画像形成指示部１０４は、操作判断処理部１０１から、送信先ＭＦＰとしてのＭＦＰ２０Ｂの通知を受ける。画像形成指示部１０４は、画像形成制御部１０３から先程取得した画像形成ジョブを、ＭＦＰ２０Ｂが実行するための画像形成指示を生成する。画像形成指示部１０４は、生成した画像形成指示を、通信制御部１３を介してＭＦＰ２０Ｂに送信する（ステップＳ１０５）。
【００４５】
一方、操作判断処理部１０１は、送信先ＭＦＰが、ＭＦＰ２０Ａから変更されなかったことを判断すると（ステップＳ１０３、ＮＯ）、送信先ＭＦＰとして判断したＭＦＰ２０Ａを、画像形成指示部１０４に通知する。
【００４６】
画像形成指示部１０４は、操作判断処理部１０１から、送信先ＭＦＰとしてのＭＦＰ２０Ａの通知を受ける。画像形成指示部１０４は、画像形成制御部１０３から先程取得した画像形成ジョブを、ＭＦＰ２０Ａが実行するための画像形成指示を生成する。画像形成指示部１０４は、生成した画像形成指示を、通信制御部１３を介してＭＦＰ２０Ａに送信する（ステップＳ１０５）。
【００４７】
（５．まとめ）
本実施形態によれば、操作判断処理部１０１は、ユーザーから入力された操作に基づき、画像形成指示を送信する対象である送信先ＭＦＰとして判断した後、特定時間待機する。そして、操作判断処理部１０１は、待機時間内に、送信先ＭＦＰが変更されたかどうかを判断する。画像形成指示部１０４は、送信先ＭＦＰが変更されなかった場合、当初判断された送信先ＭＦＰに対する画像形成指示を生成し、送信先ＭＦＰが変更された場合、変更後の送信先ＭＦＰに対する画像形成指示を生成する。
【００４８】
仮に、画像形成時間を短縮したいのであれば（画像形成時間の短縮は、一般的なニーズとして現に存在すると考えられる）、送信先ＭＦＰを判断した後直ちに（特定時間待機せずに）その送信先ＭＦＰに対して画像形成指示を生成及び送信すればよい。しかしながら、その送信先ＭＦＰが、ユーザーの誤操作等により意図したＭＦＰではなかった場合、ユーザーの意図と異なるＭＦＰが画像形成ジョブを実行してしまうと、用紙の無駄遣い、料金の無駄遣い、部門管理情報の無駄遣い等の問題も現実として発生し得る。
【００４９】
これに対して、本実施形態によれば、送信先ＭＦＰを判断した後、判断された送信先ＭＦＰを提示（表示）することで送信先ＭＦＰをユーザーにフィードバックし、さらに、敢えて特定時間待機して送信先ＭＦＰの変更を受け付ける機会を設けている。そして、送信先ＭＦＰの変更の有無を判断した段階で、初めて送信先ＭＦＰを確定し、画像形成指示を生成及び送信する。これにより、最初に判断された送信先ＭＦＰが、ユーザーの誤操作等により意図したＭＦＰではなかった場合、ユーザーは、送信先ＭＦＰを変更することができる。これにより、用紙の無駄遣い、料金の無駄遣い、部門管理情報の無駄遣い等の問題を防止することができる。
【００５０】
また、本実施形態の携帯情報端末１０の一具体例として、スマートフォンを挙げたが、スマートフォンの表示部は小型である（例えば５インチ）。このような小型の表示部に複数（本例では３台）のＭＦＰを示すアイコンを表示し、複数のアイコンの中から１つのアイコンを選択操作するとなると、手がかじかんだユーザーや、指の動きに不自由のあるユーザーにとって不便である。このようなユーザーにとっては、本人が意図するＭＦＰを選択操作することが困難であったり、また、意図と異なるＭＦＰを選択操作してしまうおそれもある。このような事情を鑑みれば、送信先ＭＦＰを判断した後、判断された送信先ＭＦＰを提示（表示）することでユーザーに送信先ＭＦＰをフィードバックし、さらに、敢えて特定時間待機して送信先ＭＦＰの変更を受け付ける機会を設けることには、画像形成時間を短縮する以上に、メリットがある。
【００５１】
加えて、本実施形態によれば、待機時間に、送信先ＭＦＰを表示し続ける。より具体的には、待機時間に、アイコン（携帯情報端末を示す）からアイコン（送信先ＭＦＰを示す）に向けて、アイコン（ジョブを示す）を送信することを直感的に示すような画像（アニメーション画像）を表示する（図６参照）。これにより、画像表示中の時間において、実際には、画像形成指示を未だＭＦＰに送信していないにも拘らず、ユーザーは、画像形成指示をＭＦＰに送信中であるかのような印象を見かけ上受ける。これにより、ユーザーにとっては、実際の画像形成時間に比して、「待たされている」という感情が生じにくくなる、というメリットがある。
【００５２】
本実施形態によれば、２回目以降の送信先ＭＦＰの判断時には、待機時間を短縮する又は０秒とすることで、送信先ＭＦＰを確定するまでの時間が長引くことを抑えることができる。
【００５３】
（６．変形例）
（６−１．変形例１）
操作判断処理部１０１は、待機時間内に操作部１５に新たに入力された操作を検出した場合、操作の位置に基づき、送信先ＭＦＰが、事前に追加されたことを判断してもよい。この変形例において、操作判断処理部１０１は、ＭＦＰ２０Ａ及び追加されたＭＦＰ（ＭＦＰ２０Ｂ、２０Ｃとする）を、画像形成指示部１０４に通知する。画像形成指示部１０４は、ＭＦＰ２０Ａが実行すべき画像形成ジョブを、ＭＦＰ２０Ａ、２０Ｂ、２０Ｃが実行するための画像形成指示をそれぞれ生成する。画像形成指示部１０４は、生成した画像形成指示を、それぞれ、通信制御部１３を介してＭＦＰ２０Ａ、２０Ｂ、２０Ｃに送信する。
【００５４】
なお、送信先ＭＦＰを事前に追加する操作の一例としては、図６の例で言えば、アイコン１２０（携帯情報端末１０を示す）からアイコン１２１（ＭＦＰ２０Ａを示す）に向かうアイコン１２４をダブルタップし、その後、アイコン１２２、１２３（ＭＦＰ２０Ｂ、２０Ｃ）をそれぞれタッチするような操作、が挙げられる。
【００５５】
（６−２．変形例２）
操作判断処理部１０１は、送信先ＭＦＰ（ＭＦＰ２０Ａとする）を画像形成指示部１０４に通知した後に操作部１５に新たに入力された操作を検出した場合、操作の位置に基づき、送信先ＭＦＰが、事後的に追加されたことを判断してもよい。この変形例において、操作判断処理部１０１は、追加されたＭＦＰ（ＭＦＰ２０Ｂ、２０Ｃとする）を、画像形成指示部１０４に通知する。画像形成指示部１０４は、ＭＦＰ２０Ａが実行中又は実行済みの画像形成ジョブを、ＭＦＰ２０Ｂ、２０Ｃが実行するための画像形成指示をそれぞれ生成する。画像形成指示部１０４は、生成した画像形成指示を、それぞれ、通信制御部１３を介してＭＦＰ２０Ｂ、２０Ｃに送信する。
【００５６】
なお、送信先ＭＦＰを事後的に追加する操作の一例としては、図６の例で言えば、アイコン１２０（携帯情報端末１０を示す）からアイコン１２１（ＭＦＰ２０Ａを示す）に向かうアイコン１２４をタッチして、アイコン１２２（ＭＦＰ２０Ｂ）までドラッグし、引き続き、アイコン１２３（ＭＦＰ２０Ｃ）までドラッグしてドロップするような操作、が挙げられる。ここのとき、操作判断処理部１０１は、アイコン１２４がドラッグ及びドロップされたことを検知し、ドラッグ中にアイコン１２４が指し示した（アイコン１２４が延びる先が通過した）ＭＦＰ１２２と、アイコン１２４がドロップされた位置に対応するＭＦＰ１２３を新たな送信先ＭＦＰとして判断する。
【００５７】
各変形例によれば、簡便且つ直感的な操作で、送信先ＭＦＰを追加することが出来る。
【００５８】
（６−３．その他の変形例）
上記実施形態では、送信先ＭＦＰを表示部１２に表示することにより、送信先ＭＦＰをユーザーに提示した。これに代えて、送信先ＭＦＰを音声として出力することにより、送信先ＭＦＰをユーザーに提示してもよい。これによっても、ユーザーに送信先ＭＦＰをフィードバックし、送信先ＭＦＰの変更を受け付ける機会を設けることができる。
【符号の説明】
【００５９】
１０…携帯情報端末
２０…ＭＦＰ
１０１…操作判断処理部
１０２…表示制御部
１０３…画像形成制御部
１０４…画像形成指示部
【図１】
0006365498.tif 000002
【図２】
0006365498.tif 000003
【図３】
0006365498.tif 000004
【図４】
0006365498.tif 000005
【図５】
0006365498.tif 000006
【図６】
0006365498.tif 000007
【図７】
0006365498.tif 000008